(57)【要約】【課題】ポンプ部を垂直方向と傾斜方向に選択的に配置できるポンプ付き液体容器を提供する。【解決手段】シャンプー等の液体を入れる本体部１と、本体部１の開口部１ａに取り付けたポンプ部２とから構成されている。中空状の本体部１は、両側を偏平とし側面を正六角形とした中空体であり、両側の側平面同士を繋ぐ６つの矩形面部１ｃとから成る。そして、１つの矩形面部１ｃの中央に、ねじ筒１ｄを設けた開口部１ａが形成されている。この開口部１ａのねじ筒１ｄには、ポンプ部２が取り付けられている。充填した液体が異なる複数のポンプ付き液体容器を並べる場合には、液体ごとにポンプ部２をどの方向に向けるかを定めておけば、使用者はポンプ部２の向きから液体の種類を判断できる。【選択図】図２
0003218302.tif 000002
【実用新案登録請求の範囲】
【請求項１】
中空状の本体部と、該本体部に取り付け、ノズル部を有するポンプ部とから成るポンプ付き液体容器であって、
前記本体部は、両側を偶数の正多角形とした側平面と、前記両側の前記側平面同士を繋ぐ複数の矩形面部とから成り、
１つの前記矩形面部に開口部が形成されており、該開口部に前記ポンプ部が取り付けられていることを特徴とするポンプ付き液体容器。
【請求項２】
前記ポンプ部の下方に配置した吸引管の下端は、前記本体部の底面の前記矩形面部と、前記底面の前記矩形面部と接する他の前記矩形面部との接辺近傍に当接していることを特徴とする請求項１に記載のポンプ付き液体容器。
【請求項３】
前記側平面は正六角形であることを特徴とする請求項１又は２に記載のポンプ付き液体容器。
【請求項４】
前記本体部の前記底面に、中央を前記本体部の内側に緩やかに突出する突出部を設けたことを特徴とする請求項１〜３の何れか１項に記載のポンプ付き液体容器。
【考案の詳細な説明】
【技術分野】
【０００１】
本考案は、シャンプー等の液体を入れるポンプ付き液体容器に関するものである。
【背景技術】
【０００２】
特許文献１に開示されているポンプ式ボトルは、シャンプー、リンス、ボディソープ等の液体を入れて、浴室等で利用されている。
【０００３】
この特許文献１においては、ポンプ部と一体とされている上端のヘッド部を押圧することで、内部の液体がヘッド部のノズル部から排出されることになる。
【先行技術文献】
【特許文献】
【０００４】
【特許文献１】登録意匠番号第１２９８４９３号公報
【考案の概要】
【考案が解決しようとする課題】
【０００５】
このような従来のポンプ式ボトルを複数並べて、例えばシャンプー、リンスを入れて使用することが多い。しかし、このように複数並べた場合に、シャンプー用ボトルとリンス用ボトルを混同して使用してしまうことが度々ある。特に、洗髪時等に、目視がし難くなり間違い易い。
【０００６】
本考案の目的は、上述する課題を解決し、ポンプ部を垂直方向と傾斜方向に配置することを選択可能とし、複数個を並べた際に、使用すべき液体を誤りなく選択できるポンプ付き液体容器を提供することにある。
【課題を解決するための手段】
【０００７】
上記課題を解決するための本考案に係るポンプ付き液体容器は、中空状の本体部と、該本体部に取り付け、ノズル部を有するポンプ部とから成るポンプ付き液体容器であって、前記本体部は、両側を偶数の正多角形とした側平面と、前記両側の前記側平面同士を繋ぐ複数の矩形面部とから成り、１つの前記矩形面部に開口部が形成されており、該開口部に前記ポンプ部が取り付けられていることを特徴とする。
【考案の効果】
【０００８】
本考案に係るポンプ付き液体容器によれば、液体ごとに容器のポンプ部をどの方向に向けるかを定めておけば、使用者はポンプ部の向きから液体の種類を判断して、使用すべき液体を正しく選択することができる。また、吸引管の下端が本体部の底面の角部に当接していることから、ポンプ部を上方に向けて配置した状態及びポンプ部を斜め方向に向けて配置した状態の何れであっても、本体部内の液体が残る個所が同じ位置となり、液体を最後まで使用することができる。
【図面の簡単な説明】
【０００９】
【図１】ポンプ付き液体容器の斜視図である。
【図２】断面図である。
【図３】開口部を斜め方向に向けた状態の断面図である。
【考案を実施するための形態】
【００１０】
本考案を図示の実施例に基づいて詳細に説明する。
図１は実施例のポンプ付き液体容器の斜視図、図２は断面図であり、ポンプ付き液体容器は、シャンプー等の液体を入れる本体部１と、この本体部１の開口部１ａに取り付けたポンプ部２とから構成されている。
【００１１】
ポンプ付き液体容器の大きさは、横１２ｃｍ、幅５ｃｍ、高さ１４ｃｍ程度であり、本体部１の液体の容量に応じて、適宜のサイズのものを採用することができる。
【００１２】
ポンプ付き液体容器はプラスチック等の合成樹脂材から成り、内部の液体が視認できる半透明又は透明の樹脂材、又は有色の樹脂材等を適宜に採用することが可能である。
【００１３】
中空状の本体部１は、両側を偏平とし側面を正六角形とした中空体であり、両側の側平面１ｂと、これらの側平面１ｂ同士を繋ぐ６つの矩形面部１ｃとから成る。そして、１つの矩形面部１ｃの中央の開口部１ａには、ねじ筒１ｄが形成されている。この開口部１ａのねじ筒１ｄには、ポンプ部２が取り付けられている。
【００１４】
なお、側面は正六角形として説明しているが、正八角形等の６以上の偶数の正多角形を側面として用いることもできる。また、本体部１の底面に、中央を本体部１の内側に緩やかに突出する突出部を設けるようにしてもよい。
【００１５】
ポンプ部２は、開口部１ａのねじ筒１ｄに螺合するキャップ部２ａと、このキャップ部２ａの中央孔に保持された押圧部２ｂと、キャップ部２ａに固定され、本体部１内に入り込む液溜筒部２ｃとから構成されている。そして、押圧部２ｂは先端をノズル部２ｄとし、中空の流路部２ｅが液溜筒部２ｃ内にピストン状に摺動自在に挿入されている。
【００１６】
液溜筒部２ｃの上部には、ばね体２ｆが内蔵されており、このばね体２ｆは押圧部２ｂの下端を上方に付勢している。また、液溜筒部２ｃの下部には、可撓性を有する吸引管２ｇが連通されている。
【００１７】
この吸引管２ｇの下端は本体部１の底面に当接し、更に吸引管２ｇは本体部１の底面の矩形面部１ｃと、この底面の矩形面部１ｃと接する他の矩形面部１ｃとの接辺近傍である角部近傍に、当接する程度の長さとされている。
【００１８】
また、吸引管２ｇは可撓性を有するため、吸引管２ｇの下端が湾曲して本体部１の底面の角部に当接することになる。なお、ポンプ部２を本体部１に取り付ける前の吸引管２ｇは、直線状であってもよいし、予め若干湾曲した形状であってもよい。
【００１９】
そして、ポンプ部２にキャップ部２ａを取り付けることで、吸引管２ｇの下端は本体部１の底面の角部近傍に当節する状態となる。なお、前述の本体部１の底面中央に突出部を設けた場合には、ポンプ部２にキャップ部２ａを取り付ける際に吸引管２ｇの下端は、先ず底面中央の突出部に当接し、次に突出部の周囲に誘導され、底面の角部近傍に無理なく到達することになる。
【００２０】
また、図示は省略しているが、液溜筒部２ｃには吸水弁が設けられており、押圧部２ｂには吐出弁が設けられている。押圧部２ｂをばね体２ｆの付勢力に抗して押下すると、液溜筒部２ｃ内の圧力が高くなり、吸水弁は押されて閉じることになる。一方、吐出弁は液溜筒部２ｃ内の圧力により開くことになり、これに伴い液溜筒部２ｃ内の液体は上方に押し上げられ、ノズル部２ｄを介して噴出することになる。
【００２１】
逆に、押圧部２ｂを離すと、押圧部２ｂはばね体２ｆの付勢力により上方に戻され、液溜筒部２ｃ内の圧力が下がり、吸水弁が開くと共に吐出弁は閉じて、本体部１内の液体Ｐは液溜筒部２ｃ内に汲み上げられることになる。
【００２２】
ポンプ付き液体容器は図２に示すように、ポンプ部２を上方に向けて配置してもよいし、図３に示すようにポンプ部２を斜め方向に向けて配置することもできる。
【００２３】
ポンプ部２を斜め方向に向けて配置する際には、背壁Ｗに矩形面部１ｃ同士の接辺が接触するように配置する必要がある。このように配置することで、押圧部２ｂを押圧しても背壁Ｗのためにポンプ付き液体容器の後退を防止することができる。そして、押圧部２ｂを押し込むことで、本体部１内の液体Ｐをノズル部２ｄを介して噴出させることが可能となる。
【００２４】
また、充填した液体Ｐが異なる複数のポンプ付き液体容器を並べる場合には、液体Ｐの種類ごとにポンプ部２をどの方向に向けるかを定めておけば、使用者はポンプ部２の向きから液体Ｐの種類を判断して、たとえ目を閉じた状態であったとしても使用すべき液体Ｐが入ったポンプ付き液体容器を正しく選択することができる。なお、このようにポンプ部２を斜め方向に向けたポンプ付き液体容器を並べる際には、上述のように背壁Ｗの手前に並べることが好ましい。
【００２５】
また、吸引管２ｇの下端が本体部１の底面の角部に当接していることから、図２に示すようにポンプ部２を垂直方向に向けて配置した状態、或るは図３に示すようにポンプ部２を斜め方向に向けて配置した状態であっても、本体部１内の液体Ｐが残る個所が同じ位置となり、液体Ｐを最後まで使用することができる。
【符号の説明】
【００２６】
１  本体部
１ａ  開口部
１ｂ  側平面
１ｃ  矩形面部
２  ポンプ部
２ｄ  ノズル部
２ｇ  吸引管
【図１】
0003218302.tif 000003
【図２】
0003218302.tif 000004
【図３】
0003218302.tif 000005